(57)【要約】【課題】壁面等に固定し、空気調和機の室内機を係止する据付板の製作に要する鋼板の使用量をより少なくする。【解決手段】一枚の矩形鋼板から対象となる一対のＬ形板２、３をプレス成形し、逆凹状の据付板４を形成する。Ｌ形板２、３には室内機本体の背面上下を係止する上部係止部２ａ、３ａおよび下部係止部２ｂ、３ｂと、壁面等への複数の取付孔２ｃ、３ｃと、逆凹状の据付板となるように接合する接合部２ｄ、３ｄとが形成され、上部係止部２ａ、３ａの左右が切除され、接合部２ｄ、３ｄの一方に他方の接合部の板厚に対応した段差を設けて両者を当接させ、例えばスポット溶接により接合し、逆凹状の据付板４を形成する。このような構成からなる据付板４であれば従来の同形状の据付板に比して、逆凹状の下部中央部の空隙部に相当する面積の鋼板が節約できる。【選択図】  図２
2004177014.tif 000002
【特許請求の範囲】
【請求項１】
一枚の矩形鋼板から、壁面等への取付孔を有し対象となるＬ字状の取付面と、空気調和機本体の背面上下を係止する上部係止部および下部係止部と、前記Ｌ字状の取付面同士が逆凹状になるように接合する接合部とが連設され、前記上部係止部の左右が切除された一対のＬ形板をプレス成形し、何れか一方のＬ形板を表裏反転させて前記接合部同士を接合するようにしてなることを特徴とする空気調和機の据付板。
【請求項２】
前記何れか一方のＬ形板の接合部に、相手側の板厚に対応した段差面を設けてなる請求項１記載の空気調和機の据付板。
【請求項３】
前記何れか一方のＬ形板の接合部に、相手側の板厚に対応した段差面を設ける一方、他方のＬ形板に前記段差面を嵌合する嵌合部を設けてなる請求項１記載の空気調和機の据付板。
【発明の詳細な説明】
【０００１】
【発明の属する技術分野】
本発明は被空調室の壁面等に固定して分離型空気調和機の室内機を係止する据付板に関する。
【０００２】
【従来の技術】
室外機と室内機との間に配管ユニット等を介してなる分離型空気調和機の室内機を係止する据付板としては例えば図４に示すようなものがある。この据付板２１には図５に示すような室内機本体２２の背面左右上下を係止する上部係止部２１ａ、２１ｂと、下部係止部２１ｃ、２１ｄと、壁面２３等への取付に用いる複数の取付孔２１ｅが設けられ、また、前記下部係止部２１ｃ、２１ｄには室内機本体２２側の係止爪２２ａに対応する係止孔２１ｆが設けられている。
【０００３】
以上説明した据付板２１はほんの一例に過ぎず、その他にも様々な形状の据付板（例えば、特許文献１参照）があるが、何れの据付板もその製作には大きな面積の鋼板を必要としておりコストダウンが難しいだけでなく、壁面への取付にも多くの労力を要するといった問題点があった。
【０００４】
【特許文献１】
特開平１０ー２２７４７６公報（第３ー４頁、第２図）
【０００５】
【発明が解決しようとする課題】
本発明においては、上記の問題点に鑑み、より小さな面積の鋼板から製作するようにした空気調和機の据付板を提供することを目的としている。
【０００６】
【課題を解決するための手段】
本発明は上記の課題を解決するためになされたもので、一枚の矩形鋼板から、壁面等への取付孔を有し対象となるＬ字状の取付面と、空気調和機本体の背面上下を係止する上部係止部および下部係止部と、前記Ｌ字状の取付面同士が逆凹状になるように接合する接合部とが連設され、前記上部係止部の左右が切除された一対のＬ形板をプレス成形し、何れか一方のＬ形板を表裏反転させて前記接合部同士を接合する構成とし、逆凹状の据付板を形成する。
【０００７】
また、前記何れか一方のＬ形板の接合部に、相手側の板厚に対応した段差面を設けてなる構成とする。
【０００８】
また、前記何れか一方のＬ形板の接合部に、相手側の板厚に対応した段差面を設ける一方、他方のＬ形板に前記段差面を嵌合する嵌合部を設けてなる構成とする。
【０００９】
【発明の実施の形態】
以下、本発明の実施の形態を図１〜図３に基づいて説明する。
図１は室内機用据付板の形成に用いる鋼板の平面図であり、図２は同鋼板より形成された室内機用据付板の斜視図、図３はもう一つの実施の形態を示す室内機用据付板の要部斜視図である。
【００１０】
図において、１は据付板の形成に必要な最小面積の矩形鋼板で、本発明によれば、この一枚の矩形鋼板１から、壁面等への複数の取付孔２ｃ、３ｃを有し対象となるＬ字状の取付面（２）、（３）と、空気調和機本体（室内機本体）の背面上下を係止する上部係止部２ａ、３ａおよび下部係止部２ｂ、３ｂと、前記Ｌ字状の取付面（２）、（３）同士が逆凹状になるように接合する接合部２ｄ、３ｄとが連設され、前記上部係止部２ａ、３ａの左右２ｅ、２ｆ、３ｅ、３ｆが切除された一対のＬ形板２と３をプレス成形し、何れか一方のＬ形板を表裏反転させて接合部２ｄ、３ｄ同士を接合し、図２に示すような逆凹状の据付板４を形成する。
【００１１】
矩形鋼板１に記されている破線は図２に示すような上部係止部２ａ、３ａおよび下部係止部２ｂ、３ｂと、Ｌ字状に型抜きされた一対のＬ形板２、３を逆凹状に接合する接合部２ｄ、３ｄを形成するときの折曲げの位置を示し、また、斜線部２ｅ、２ｆ、３ｅ、３ｆは図２に示すような据付板の形成には不要で切除される領域である。また、下部係止部２ｂ、３ｂには図示されてない室内機側の係止爪等に対応した係止孔２ｇ、３ｇが形成され、全体を前方へ屈曲させた形態になっているが、これら下部係止部２ｂ、３ｂおよび上部係止部２ａ、３ａ等は必ずしもこの形態に限定するものではない。
【００１２】
また、一方のＬ形板２の接合部２ｄには相手側（３ｄ）の板厚に対応した段差（段差面）が形成されており、その裏側にＬ形板３の接合部３ｄを当接させ、接合するようになっており、その接合には例えばスポット溶接または図示はされてないが複数の孔を設けて両者をネジ止めし、所定の逆凹状の据付板４を形成している。
【００１３】
図３は接合部２ｄ、３ｄに関する第２の実施の形態を示したもので、これはＬ形板３の接合部３ｄに、相手側（２ｄ）の板厚に対応した段差面を設ける一方、相手側のＬ形板２に前記段差面を嵌合する嵌合部（符号省略）を設けたことが特徴となっている。このような嵌合部があれば壁面への取付時に両者を組み合わせるだけでも所定の据付板が形成され、組立の手間も省ける。
【００１４】
【発明の効果】
以上説明したような構成による空気調和機の据付装置であれば、逆凹状に形成された据付板の中央下部の空隙部分に相当する面積の鋼板が節約でき、運搬および壁面等への取付作業が楽になるとともに、据付板が大きなものになればなるほど、また、多量生産になればなるほど節約できる鋼板の量も増え、多大なコストダウンが図れることになる。
【図面の簡単な説明】
【図１】本発明による据付板の製作に用いる鋼板の平面図である。
【図２】本発明による第１の実施の形態を示す据付板の斜視図である。
【図３】本発明による第２の実施の形態を示す据付板の要部斜視図である。
【図４】従来例を示す据付板の斜視図である。
【図５】壁面に固定された据付板と室内機の関係を示す側面図である。
【符号の説明】
１  鋼板（矩形鋼板）
２、３  Ｌ形板
２ａ、３ａ  上部係止部
２ｂ、３ｂ  下部係止部
２ｃ、３ｃ  取付孔
２ｄ、３ｄ  接合部
２ｅ、３ｅ  切除される領域
２ｆ、３ｆ  切除される領域
２ｇ、３ｇ  係止孔
【図１】
2004177014.tif 000003
【図２】
2004177014.tif 000004
【図３】
2004177014.tif 000005
【図４】
2004177014.tif 000006
【図５】
2004177014.tif 000007